(57)【特許請求の範囲】
【請求項１】
走査電極と維持電極とからなる表示電極対を有する放電セルを複数備えたプラズマディスプレイパネルの駆動方法であって、
維持期間において前記表示電極対に維持パルスを印加して前記放電セルを維持放電させる維持パルス発生部を備え、
前記維持パルス発生部は、前記表示電極対の電極間の静電容量と電力回収用インダクタとの共振により前記表示電極対に電圧を印加する電力回収部と、所定の電源または接地電位に接続して前記表示電極対に電圧を印加するクランプ部とを有し、
前記維持期間における最初の維持放電を発生させる電圧を前記表示電極対に印加する前に、前記最初の維持放電を発生させる電圧よりも低い電圧を、前記電力回収部の共振の周期の１／２より長い期間にわたり前記電力回収部を用いて前記表示電極対に印加することを特徴とするプラズマディスプレイパネルの駆動方法。
【発明の詳細な説明】
【技術分野】
【０００１】
本発明は、プラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間にはキセノンを含む放電ガスが封入されている。ここで表示電極対とデータ電極とが対向する部分に放電セルが形成される。このような構成のパネルにおいて、各放電セル内でガス放電により紫外線を発生させ、この紫外線でＲＧＢ各色の蛍光体を励起発光させてカラー表示を行っている。
【０００３】
パネルを駆動する方法としてはサブフィールド法、すなわち、１フィールド期間を複数のサブフィールドに分割した上で、発光させるサブフィールドの組み合わせによって階調表示を行う方法が一般的である。各サブフィールドは、初期化期間、書込み期間および維持期間を有し、初期化期間では初期化放電を発生し、続く書込み動作に必要な壁電荷を各電極上に形成する。書込み期間では、表示を行うべき放電セルにおいて選択的に書込み放電を発生し壁電荷を形成する。そして維持期間では、走査電極と維持電極とからなる表示電極対に交互に維持パルスを印加し、書込み放電を起こした放電セルで維持放電を発生させ、対応する放電セルの蛍光体層を発光させることにより画像表示を行う。
【０００４】
サブフィールド法の中でも、緩やかに変化する電圧波形を用いて初期化放電を行い、さらに維持放電を行った放電セルに対して選択的に初期化放電を行うことで、階調表示に関係しない発光を極力減らしコントラスト比を向上させた新規な駆動方法が特許文献１に開示されている。
【特許文献１】特開２０００−２４２２２４号公報
【発明の開示】
【発明が解決しようとする課題】
【０００５】
しかしながら、パネルの高精細化に伴って放電セルを微細化すると、あるいはパネルの輝度を高めるためにキセノン分圧を高めると、維持放電すべきでない放電セルで維持放電が発生し発光する現象（以下、「誤点灯」と略記する）が生じるといった問題があった。特に暗い画像を表示している領域の放電セルで発生した誤点灯は目に付きやすく、画像表示品質を大きく低下させる。
【０００６】
本発明はこれらの課題に鑑みなされたものであり、高輝度・高精細度パネルであっても、誤点灯を抑え、画像表示品質のよいパネルの駆動方法を提供することを目的とする。
【課題を解決するための手段】
【０００７】
本発明は、走査電極と維持電極とからなる表示電極対を有する放電セルを複数備えたパネルの駆動方法であって、維持期間において表示電極対に維持パルスを印加して放電セルを維持放電させる維持パルス発生部を備え、維持パルス発生部は、維持期間における最初の維持放電を発生させる電圧を表示電極対に印加する前に、最初の維持放電を発生させる電圧よりも低い電圧を表示電極対に印加することを特徴とする。この方法により、高輝度・高精細度パネルであっても、誤点灯を抑え、画像表示品質のよいパネルの駆動方法を提供することができる。
【０００８】
また本発明の維持パルス発生部は、表示電極対の電極間の静電容量と電力回収用インダクタとの共振により表示電極対に電圧を印加する電力回収部と、所定の電源または接地電位に接続して表示電極対に電圧を印加するクランプ部とを有し、最初の維持放電を発生させる電圧よりも低い電圧を、電力回収部の共振の周期の１／２より長い期間にわたり電力回収部を用いて表示電極対に印加してもよい。この方法により、電力回収を行いながら誤点灯を抑制することができる。
【発明の効果】
【００１０】
本発明によれば、高輝度・高精細度パネルであっても、誤点灯を抑え、画像表示品質のよいパネルの駆動方法を提供することが可能となる。
【発明を実施するための最良の形態】
【００１１】
以下、本発明の実施の形態におけるパネルの駆動方法について、図面を用いて説明する。
【００１２】
（実施の形態）
図１は本発明の実施の形態に用いるパネルの要部を示す分解斜視図である。パネル１０は、ガラス製の前面基板２１と背面基板３１とを対向配置して、その間に放電空間を形成するように構成されている。前面基板２１上には表示電極対を構成する走査電極２２と維持電極２３とが互いに平行に対をなして複数形成されている。そして、走査電極２２および維持電極２３を覆うように誘電体層２４が形成され、誘電体層２４上には保護層２５が形成されている。また、背面基板３１上には絶縁体層３３で覆われた複数のデータ電極３２が設けられ、絶縁体層３３上に井桁状の隔壁３４が設けられている。また、絶縁体層３３の表面および隔壁３４の側面に蛍光体層３５が設けられている。そして、走査電極２２および維持電極２３とデータ電極３２とが交差するように前面基板２１と背面基板３１とが対向配置されており、その間に形成される放電空間には、放電ガスとして、例えばネオンとキセノンの混合ガスが封入されている。なお、パネルの構造は上述したものに限られるわけではなく、例えばストライプ状の隔壁を備えたものであってもよい。
【００１３】
図２は本発明の実施の形態に用いるパネルの電極配列図である。行方向にｎ本の走査電極ＳＣ１〜ＳＣｎ（図１の走査電極２２）およびｎ本の維持電極ＳＵ１〜ＳＵｎ（図１の維持電極２３）が配列され、列方向にｍ本のデータ電極Ｄ１〜Ｄｍ（図１のデータ電極３２）が配列されている。そして、１対の走査電極ＳＣｉおよび維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００１４】
図３は本発明の実施の形態におけるプラズマディスプレイ装置の回路ブロック図である。このプラズマディスプレイ装置は、パネル１０、画像信号処理回路５１、データ電極駆動回路５２、走査電極駆動回路５３、維持電極駆動回路５４、タイミング発生回路５５および電源回路（図示せず）を備えている。
【００１５】
画像信号処理回路５１は、画像信号ｓｉｇをサブフィールド毎の画像データに変換する。データ電極駆動回路５２はサブフィールド毎の画像データを各データ電極Ｄ１〜Ｄｍに対応する信号に変換し各データ電極Ｄ１〜Ｄｍを駆動する。タイミング発生回路５５は水平同期信号Ｈおよび垂直同期信号Ｖをもとにして各種のタイミング信号を発生し、各回路ブロックへ供給している。走査電極駆動回路５３はタイミング信号にもとづいて走査電極ＳＣ１〜ＳＣｎに駆動電圧波形を供給し、維持電極駆動回路５４はタイミング信号にもとづいて維持電極ＳＵ１〜ＳＵｎに駆動電圧波形を供給する。ここで、走査電極駆動回路５３は、後述する維持パルスを発生させるための維持パルス発生部１００を備え、維持電極駆動回路５４にも同様に維持パルス発生部２００を備えている。
【００１６】
次に、パネルを駆動するための駆動電圧波形とその動作について説明する。本発明の実施の形態においては、１フィールドを複数のサブフィールドに分割し、それぞれのサブフィールドは初期化期間、書込み期間、維持期間を有している。図４は本発明の実施の形態におけるパネルの各電極に印加する駆動電圧波形を示す図である。
【００１７】
第１サブフィールドの初期化期間では、まずその前半部において、データ電極Ｄ１〜Ｄｍおよび維持電極ＳＵ１〜ＳＵｎを０Ｖに保持し、走査電極ＳＣ１〜ＳＣｎに対して放電開始電圧以下となる電圧Ｖｉ１から放電開始電圧を超える電圧Ｖｉ２に向かって緩やかに上昇するランプ電圧を印加する。すると、全ての放電セルにおいて微弱な初期化放電を起こし、走査電極ＳＣ１〜ＳＣｎ上に負の壁電圧が蓄積され、維持電極ＳＵ１〜ＳＵｎおよびデータ電極Ｄ１〜Ｄｍ上に正の壁電圧が蓄積される。ここで、電極上の壁電圧とは電極を覆う誘電体層上や蛍光体層上等に蓄積した壁電荷により生じる電圧を指す。
【００１８】
続いて初期化期間の後半部において、維持電極ＳＵ１〜ＳＵｎを正の電圧Ｖｅ１に保ち、走査電極ＳＣ１〜ＳＣｎに電圧Ｖｉ３から電圧Ｖｉ４に向かって緩やかに下降するランプ電圧を印加する。すると、全ての放電セルにおいて再び微弱な初期化放電を起こし、走査電極ＳＣ１〜ＳＣｎ上と維持電極ＳＵ１〜ＳＵｎ上との間の壁電圧が弱められ、データ電極Ｄ１〜Ｄｍ上の正の壁電圧が書込み動作に適した値に調整される。
【００１９】
このように第１サブフィールドの初期化動作は、全ての放電セルに対して初期化放電を行う全セル初期化動作である。
【００２０】
続く書込み期間では、維持電極ＳＵ１〜ＳＵｎを電圧Ｖｅ２に、走査電極ＳＣ１〜ＳＣｎをＶｃに保持する。次に、１行目の走査電極ＳＣ１に負の走査パルス電圧Ｖａを印加するとともに、データ電極Ｄ１〜Ｄｍのうち１行目に表示すべき放電セルのデータ電極Ｄｋ（ｋ＝１〜ｍ）に正の書込みパルス電圧Ｖｄを印加する。このときデータ電極Ｄｋと走査電極ＳＣ１との交差部の電圧は、外部印加電圧（Ｖｄ−Ｖａ）にデータ電極Ｄｋ上の壁電圧と走査電極ＳＣ１上の壁電圧とが加算されたものとなり、放電開始電圧を超える。そして、データ電極Ｄｋと走査電極ＳＣ１との間および維持電極ＳＵ１と走査電極ＳＣ１との間に書込み放電が起こり、この放電セルの走査電極ＳＣ１上に正の壁電圧が蓄積され、維持電極ＳＵ１上に負の壁電圧が蓄積され、データ電極Ｄｋ上にも負の壁電圧が蓄積される。このようにして、１行目に表示すべき放電セルで書込み放電を起こして各電極上に壁電圧を蓄積する書込み動作が行われる。一方、書込みパルス電圧Ｖｄを印加しなかったデータ電極Ｄ１〜Ｄｍと走査電極ＳＣ１との交差部の電圧は放電開始電圧を超えないので、書込み放電は発生しない。以上の書込み動作をｎ行目の放電セルに至るまで順次行い、書込み期間が終了する。
【００２１】
続く維持期間では、消費電力を削減するために電力回収回路を用いて駆動を行っている。駆動電圧波形の詳細については後述することとして、ここでは維持期間における維持動作の概要について説明する。まず走査電極ＳＣ１〜ＳＣｎには正の維持パルス電圧Ｖｓを印加するとともに、維持電極ＳＵ１〜ＳＵｎには接地電位、すなわち０Ｖを印加する。すると書込み放電を起こした放電セルにおいては、走査電極ＳＣｉ上と維持電極ＳＵｉ上との間の電圧は維持パルス電圧Ｖｓに走査電極ＳＣｉ上の壁電圧と維持電極ＳＵｉ上の壁電圧とが加算されたものとなり放電開始電圧を超える。そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保持される。
【００２２】
続いて、走査電極ＳＣ１〜ＳＣｎには０Ｖを、維持電極ＳＵ１〜ＳＵｎには維持パルス電圧Ｖｓをそれぞれ印加する。すると、維持放電を起こした放電セルでは、維持電極ＳＵｉ上と走査電極ＳＣｉ上との間の電圧が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに応じた数の維持パルスを印加することにより、書込み期間において書込み放電を起こした放電セルで維持放電が継続して行われる。
【００２３】
なお、維持期間の最後には走査電極ＳＣ１〜ＳＣｎと維持電極ＳＵ１〜ＳＵｎとの電極間にいわゆる細幅パルス状の電位差を与えて、データ電極Ｄｋ上の正の壁電荷を残したまま、走査電極ＳＣｉおよび維持電極ＳＵｉ上の壁電圧を消去している。こうして維持期間における維持動作が終了する。
【００２４】
ここで、維持期間の最初の維持パルスの立ち上がり時間をそれ以降の維持パルスの立ち上がり時間よりも長く設定されており、本実施の形態においては、最初の維持パルスの立ち上がり時間が６５０ｎｓであり、それ以降の維持パルスの立ち上がり時間の５５０ｎｓよりも１００ｎｓ長く設定されている。詳細は後述するが、これにより誤点灯を大幅に抑制することが可能となっている、また、本実施の形態においては、維持期間の最初の維持パルスのパルス幅が２０μｓであり、それ以降の維持パルスのパルス幅の１．８μｓよりも長く設定されている。これは以下の理由による。書込み期間の初期に書込んだ放電セルは維持放電を発生させるまでにかなりの時間経過があり、維持放電の放電遅れが大きくなる傾向がある。そこで、たとえ放電遅れの大きい放電セルであっても確実に維持放電を発生させるために、最初の維持パルスのパルス幅を長く設定している。
【００２５】
第２サブフィールドの初期化期間では、維持電極ＳＵ１〜ＳＵｎを電圧Ｖｅ１に、データ電極Ｄ１〜Ｄｍを０Ｖにそれぞれ保持し、走査電極ＳＣ１〜ＳＣｎに電圧Ｖｉ３’から電圧Ｖｉ４に向かって緩やかに下降するランプ電圧を印加する。すると前のサブフィールドの維持期間で維持放電を行った放電セルでは微弱な初期化放電が発生し、走査電極ＳＣｉ上および維持電極ＳＵｉ上の壁電圧が弱められる。またデータ電極Ｄｋに対しては、直前の維持期間においてデータ電極Ｄｋ上に正の壁電圧が十分に蓄積されているので、この壁電圧の過剰な部分が放電され、書込み動作に適した壁電圧に調整される。一方、前のサブフィールドで維持放電を行わなかった放電セルについては放電することはなく、前のサブフィールドの初期化期間終了時における壁電荷がそのまま保たれる。
【００２６】
このように第２サブフィールドの初期化動作は、直前のサブフィールドの維持期間で維持動作を行った放電セルに対して選択的に初期化放電を行う選択初期化動作である。
【００２７】
第２サブフィールドの書込み期間の動作は第１サブフィールドと同様であるため説明を省略する。続く維持期間の動作も維持パルスの数を除いて第１サブフィールドと同様である。続く第３サブフィールド以降のサブフィールドにおいても、第２サブフィールドとほぼ同様の動作を行う。
【００２８】
なお、本実施の形態においては、第１サブフィールドの初期化期間には全セル初期化動作を行い、第２サブフィールドの初期化期間には選択初期化動作を行うものとして説明したが、本発明はこれに限定するものではなく、それぞれのサブフィールドにおいて全セル初期化、選択初期化動作を任意に行ってもよい。
【００２９】
次に、維持期間における動作の詳細について説明する。まず表示電極対に維持パルスを印加して放電セルを維持放電させるための駆動回路である維持パルス発生部１００、２００の詳細について説明する。図５は、本発明の実施の形態におけるプラズマディスプレイ装置の維持パルス発生部１００、２００の回路図である。維持パルス発生部１００は電力回収部１１０とクランプ部１２０とから構成されている。電力回収部１１０は、電力回収用のコンデンサＣ１０、スイッチング素子Ｑ１１、Ｑ１２、逆流防止用のダイオードＤ１１、Ｄ１２、電力回収用のインダクタＬ１０を有している。クランプ部１２０は、電圧値がＶｓである電源ＶＳ、スイッチング素子Ｑ１３、Ｑ１４を有している。そしてこれらの電力回収部１１０およびクランプ部１２０は、走査パルス発生回路を介してパネル１０の電極間容量Ｃｐの一端である走査電極２２に接続されている。なお、図５では走査パルス発生回路は図示していない。コンデンサＣ１０は電極間容量Ｃｐに比べて十分に大きい容量を持ち、電圧値がほぼＶｓ／２に充電されており、電力回収部１１０の電源として働く。
【００３０】
維持パルス発生部２００も維持パルス発生部１００と同様の回路構成であり、電力回収用のコンデンサＣ２０、スイッチング素子Ｑ２１、Ｑ２２、逆流防止用のダイオードＤ２１、Ｄ２２、電力回収用のインダクタＬ２０を有する電力回収部２１０と、電源ＶＳ、スイッチング素子Ｑ２３、Ｑ２４を有するクランプ部２２０を備え、維持パルス発生部２００の出力はパネル１０の電極間容量Ｃｐの他端である維持電極２３に接続されている。
【００３１】
次に、駆動電圧波形の詳細について説明する。図６は本発明の実施の形態におけるパネルの駆動方法を説明するためのタイミングチャートである。維持期間における最初の維持パルスをＴ１〜Ｔ４で示し、続いて維持電極および走査電極に印加される維持パルスの１周期分を期間Ｔ４〜Ｔ９で示した６つの期間に分割し、それぞれの期間について説明する。
【００３２】
（期間Ｔ１）
時刻ｔ１でスイッチング素子Ｑ２２をＯＮにする。すると、維持電極２３からインダクタＬ２０、ダイオードＤ２２、スイッチング素子Ｑ２２を通して電力回収用のコンデンサＣ２０へ電流が流れ始め、維持電極２３の電圧が下がり始める。
【００３３】
（期間Ｔ２）
インダクタＬ２０と電極間容量Ｃｐとは共振回路を形成しているので、共振周期の１／２の時間経過後の時刻ｔ２において維持電極２３の電圧は０Ｖ付近まで低下するが、共振回路の抵抗成分による電力損失のため、走査電極２３の電圧は０Ｖにまでは下がりきらない。そして、時刻ｔ２でスイッチング素子Ｑ２４をＯＮにする。すると維持電極２３はスイッチング素子Ｑ２４を通して直接に接地されるため、維持電極２３の電圧は強制的に０Ｖに低下する。
【００３４】
さらに、時刻ｔ２でスイッチング素子Ｑ１１をＯＮにする。すると電力回収用のコンデンサＣ１０からスイッチング素子Ｑ１１、ダイオードＤ１１、インダクタＬ１０を通して電流が流れ始め、走査電極２２の電圧が上がり始める。
【００３５】
（期間Ｔ３）
インダクタＬ１０と電極間容量Ｃｐとは共振回路を形成しているので、共振周期の１／２の時間経過後の時刻において走査電極２２の電圧はＶｓ付近まで上昇するが、共振回路の抵抗成分による電力損失のため、走査電極２２の電圧はＶｓにまでは上がりきらない。そしてその後、再び低下し始める。本実施の形態においては、上述の共振周期が約１１００ｎｓに設定されており、走査電極２２の電圧がＶｓよりやや低い電圧まで上昇するまでの時間は、時刻ｔ２からおよそ５５０ｎｓ後である。そして本実施の形態においてはそのさらに１００ｎｓ後の時刻ｔ３においてスイッチング素子Ｑ１３をＯＮにする。すると走査電極２２はスイッチング素子Ｑ１３を通して直接に電源ＶＳへ接続されるため、走査電極２２の電圧は強制的にＶｓまで上昇する。すると、書込み放電を起こした放電セルでは走査電極２２−維持電極２３間の電圧が放電開始電圧を超え、維持期間の最初の維持放電が発生する。
【００３６】
ここで、上述したように、本実施の形態における最初の維持パルスのパルス幅が２０μｓであり、それ以降の維持パルスのパルス幅の１．８μｓよりも長く設定されている。
【００３７】
なお、スイッチング素子Ｑ１１は時刻ｔ３以降、時刻ｔ４までにＯＦＦすればよく、スイッチング素子Ｑ２２は時刻ｔ２以降、時刻ｔ５までにＯＦＦすればよい。また、維持パルス発生部１００、２００の出力インピーダンスを下げるために、スイッチング素子Ｑ１３は時刻ｔ４直前に、スイッチング素子Ｑ２４は時刻ｔ５直前にＯＦＦにすることが望ましい。
【００３８】
（期間Ｔ４）
時刻ｔ４でスイッチング素子Ｑ１２をＯＮにする。すると走査電極２２側の電荷はインダクタＬ１０、ダイオードＤ１２、スイッチング素子Ｑ１２を通してコンデンサＣ１０に流れ始め、走査電極２２の電圧が下がり始める。
【００３９】
（期間Ｔ５）
共振周期の１／２の時間経過後の時刻ｔ５において走査電極２２の電圧は０Ｖ付近まで低下する。しかし共振回路の抵抗成分による電力損失のため、走査電極２２の電圧は０Ｖにまでは下がりきらない。そして時刻ｔ５でスイッチング素子Ｑ１４をＯＮにする。すると走査電極２２はスイッチング素子Ｑ１４を通して直接に接地されるため、走査電極２２の電圧は強制的に０Ｖに低下する。
【００４０】
さらに、時刻ｔ５でスイッチング素子Ｑ２１をＯＮにする。すると、電力回収用のコンデンサＣ２０からスイッチング素子Ｑ２１、ダイオードＤ２１、インダクタＬ２０を通して電流が流れ始め、維持電極２３の電圧が上がり始める。
【００４１】
（期間Ｔ６）
共振周期の１／２の時間経過後の時刻ｔ６において維持電極２３の電圧はＶｓ付近まで上昇するが、共振回路の抵抗成分による電力損失のため、維持電極２３の電圧はＶｓにまでは上がりきらない。そして、時刻ｔ６でスイッチング素子Ｑ２３をＯＮにする。すると維持電極２３はスイッチング素子Ｑ２３を通して直接に電源ＶＳへ接続されるため、維持電極２３の電圧は強制的にＶｓまで上昇する。すると、書込み放電を起こした放電セルでは走査電極２２−維持電極２３間の電圧が放電開始電圧を超え維持放電が発生する。
【００４２】
なお、スイッチング素子Ｑ１２は時刻ｔ５以降、時刻ｔ８までにＯＦＦすればよく、スイッチング素子Ｑ２１は時刻ｔ６以降、時刻ｔ７までにＯＦＦすればよい。また、維持パルス発生部１００、２００の出力インピーダンスを下げるために、スイッチング素子Ｑ１４は時刻ｔ８直前に、スイッチング素子Ｑ２３は時刻ｔ７直前にＯＦＦにすることが望ましい。
【００４３】
（期間Ｔ７〜Ｔ９）
走査電極２２に印加される維持パルスと維持電極２３に印加される維持パルスとは同じ波形であるため、期間Ｔ７から期間Ｔ９までの動作は期間Ｔ４から期間Ｔ６までの動作で走査電極２２と維持電極２３とを入れ替えた動作に等しいので説明を省略する。
【００４４】
以上の期間Ｔ４〜Ｔ９の動作を、必要なパルス数に応じて繰り返す。
【００４５】
次に、共振の周期の１／２より長い期間にわたり電力回収部を用いて走査電極２２に維持期間の最初の維持パルスを印加することで誤点灯を大幅に抑制することができる理由について説明する。
【００４６】
まず、誤点灯の発生メカニズムについて説明する。誤点灯の発生には様々な仮説が考えられているが、パネル内部に存在する空気等の残留ガスによるものであるという仮説が有力である。暗い画像を表示している領域の放電セルでは数フィールド以上にわたって維持放電を発生させない放電セル（以下、「非点灯セル」と略記する）が存在する。これら非点灯セルの内部には、維持放電を発生させた放電セル（以下、「点灯セル」と略記する）から放電によって叩き出された残留ガス、あるいはそれらのイオンが飛来して吸着する。吸着した残留ガスは非点灯セルの放電開始電圧を下げるとともに不均一な壁電荷を形成し、非点灯セル内部に不均一な電界を生じる。もし壁電荷によって非点灯セル内部に局所的な強い電界を生じており、この電界をさらに強めるように維持パルスが印加されると、書込み放電を発生していない非点灯セルにおいても放電開始電圧を超えて維持放電が発生してしまう可能性が高くなる。本実施の形態において説明したように維持期間の最初の維持パルスのパルス幅を長く設定すると、局所的な壁電圧と維持パルス電圧との和が放電開始電圧をわずかに超えただけであり放電遅れが大きい場合であっても、維持放電に至る確率はさらに高くなる。
【００４７】
しかしながら本発明の実施の形態においては、維持期間の最初の維持パルスの立ち上がり時間を長く設定している。そのため、非点灯セル内部に局所的な強い電界を生じている壁電荷が維持放電に発展する前に暗電流として消費される時間が長くなり、局所的な電界が弱められ誤点灯が抑制されると考えることができる。以上は仮説のひとつに過ぎないが、実験的には、維持期間の最初の維持パルスの立ち上がり時間を長く設定することにより誤点灯が抑制される効果が確認されている。図７は、維持期間の最初の維持パルスの立ち上がり時間と誤点灯との関係を示す実験データあり、横軸が維持期間の最初の維持パルスの立ち上がり時間、すなわち時刻Ｔ２の長さを示し、縦軸は誤点灯が発生し始める維持パルス電圧を示している。ここで誤点灯が発生し始める維持パルス電圧は誤点灯の発生し難さの指標であり、誤点灯が発生し始める維持パルス電圧が高いほど誤点灯が発生し難いことを示している。図７に示したように、最初の維持パルスの立ち上がり時間を長くしていくと、６５０ｎｓまでは誤放電が発生し難くなり、特に６００ｎｓ〜７００ｎｓに設定すると最も誤放電を抑制できるということを実験的に確認することができた。
【００４８】
このように、本実施の形態においては、最初の維持パルスのパルス幅を広くしたまま維持パルスの立ち上がりを共振周期の１／２よりも長くすることにより、誤放電の発生を抑えている。上述したように、最初の維持パルスのパルス幅を広くするのは、放電遅れの大きい放電セルの維持放電を確実に発生させるためであるが、そのため最初の維持パルスでは誤点灯も発生しやすくなっている。最初の維持パルスのパルス幅を狭くしても誤放電発生の確率を下げることができるが、同時に放電遅れの大きい放電セルの維持放電も不安定になってしまう。しかし、最初の維持パルスの立ち上がりを長くすることによって、維持放電にあまり悪影響を与えることなく誤放電を抑えることができることがわかった。
【００４９】
なお、本実施の形態においては、電力回収部を用いて最初の維持パルスの立ち上がり期間を共振周期の１／２よりも長く伸ばしたが、本発明はこれに限られるものではない。維持期間における最初の維持放電を発生させる電圧を表示電極対に印加する前に、最初の維持放電を発生させる電圧よりも低い電圧を表示電極対に印加すれば、局所的な強い電界を生じている壁電荷が維持放電に発展する前に暗電流として消費され、誤放電を抑えることができる。図８は本発明の他の実施の形態における駆動電圧波形を示す図である。図８（ａ）は、一定の期間Ｔ２の間、維持パルス電圧Ｖｓより低い電圧Ｖｓ’を走査電極２２に印加した後、時刻ｔ３で走査電極２２に維持パルス電圧Ｖｓを印加する駆動方法である。また、図８（ｂ）は、期間Ｔ２において、維持パルス電圧Ｖｓに向かって上昇するランプ電圧を走査電極２２に印加し、その後、時刻ｔ３で走査電極２２に維持パルス電圧Ｖｓを印加する駆動方法である。これ以外の駆動電圧波形であっても、局所的な強い電界を生じている壁電荷を維持放電の開始前に減らすことができれば誤放電を抑制することが可能である。
【産業上の利用可能性】
【００５０】
本発明のパネルの駆動方法は、高輝度・高精細度パネルであっても、誤点灯を抑え、画像表示品質のよい駆動が可能であり、パネルを用いた画像表示装置等として有用である。
【図面の簡単な説明】
【００５１】
【図１】本発明の実施の形態に用いるパネルの要部を示す分解斜視図
【図２】同パネルの電極配列図
【図３】同パネルを用いたプラズマディスプレイ装置の回路ブロック図
【図４】同パネルの各電極に印加する駆動電圧波形を示す図
【図５】同パネルを用いたプラズマディスプレイ装置の維持パルス発生部の回路図
【図６】本発明の実施の形態におけるパネルの駆動方法を説明するためのタイミングチャート
【図７】駆動タイミングとそのときの誤点灯との関係を示す実験データを示した図
【図８】本発明の他の実施の形態における駆動電圧波形を示す図
【符号の説明】
【００５２】
１０    パネル
２２    走査電極
２３    維持電極
３２    データ電極
５１    画像信号処理回路
５２    データ電極駆動回路
５３    走査電極駆動回路
５４    維持電極駆動回路
５５    タイミング発生回路
１００，２００    維持パルス発生部
１１０，２１０    電力回収部
１２０，２２０    クランプ部
【図１】
0004802650.tif 000002
【図２】
0004802650.tif 000003
【図３】
0004802650.tif 000004
【図４】
0004802650.tif 000005
【図５】
0004802650.tif 000006
【図６】
0004802650.tif 000007
【図７】
0004802650.tif 000008
【図８】
0004802650.tif 000009